(57)【要約】      （修正有）【課題】ドライアイスを不要とし、棺の中の遺体の腐敗や菌の飛散を防止する棺収納容器を提供する。【解決手段】棺を収納する容器１であって、前面２、背面、底面、両側面からなる直方体形の箱体と、蓋体４から構成される密閉容器であり、その前面、両側面及び蓋体は透明のプラスチックで構成され、背面と底面は金属で構成されるものにおいて、背面と底面の内側面には複数のローラーが設けられ、背面は、開放可能に構成されているもの。【選択図】図１
2017136138.tif 000002
【特許請求の範囲】
【請求項１】
棺を収納する容器であって、前面、背面、底面、両側面からなる直方体形の箱体と、蓋体から構成される密閉容器であり、その前面、両側面及び蓋体は透明のプラスチックで構成され、背面と底面は金属で構成されるものにおいて、該背面と底面の内側面には複数のローラーが設けられ、該背面は、開放可能に構成されていることを特徴とする棺収納容器。
【請求項２】
該側面に貫通孔を有し、該貫通孔は冷却装置と連結されているものである請求項１記載の棺収納容器。
【請求項３】
内部に殺菌装置を有するものである請求項１又は２記載の棺収納容器。
【請求項４】
該蓋体は、平面状ではなく角錐台状であり、上方に向かって狭くなる形状である請求項１乃至３のいずれか１項記載の棺収納容器。
【請求項５】
内部にチューブ型冷却装置を設けたものである請求項１乃至４のいずれか１項記載の棺収納容器。
【発明の詳細な説明】
【技術分野】
【０００１】
本発明は、棺収納容器に関するものである。
【背景技術】
【０００２】
ここでいう棺は、遺体を安置するものであって、斎場において最終的には焼却するものである。しかしながら、一定期間、自宅や葬儀場において、保管し、遺族やその他弔問客に対して最後の別れを提供することが行われている。
【０００３】
人間も有機物であり、そのままにしておくと腐敗し、雑菌が増え、遺体を損傷するだけでなく、それらの菌が空気中に浮遊し、周囲の人間に悪影響を及ぼすことがある。
【０００４】
これらを防止するため、通常は多量のドライアイスを遺体近傍に置き、遺体を冷却し、腐敗を防止している。このドライアイスはすぐに昇華するため、夏場でも冬場でも相当の費用になる。
【０００５】
そこで、このドライアイスの消費を軽減するために、特許文献１のような棺桶も考案されている。これは、棺桶本体を断熱容器に入れ、オゾン氷と蓄冷材を備えるものである。
【先行技術文献】
【特許文献】
【０００６】
【特許文献１】特開２００７−２１０６６６
【発明の概要】
【発明が解決しようとする課題】
【０００７】
しかしながら、この従来例では、断熱容器にドライアイスを入れているだけであり、冷却装置は有していない。また、断熱容器が不透明であり、内部が見えない。これでは、弔問客が遺体を見たりすることができない。また、棺桶本体の搬入方法が記載されておらず、重量のある棺を搬入すること、また出棺も非常に難しい。
【０００８】
そこで、このような欠点がなく、ドライアイスの量が軽減でき、棺の搬入が容易で、菌の飛散を防止するものを提供する。
【課題を解決するための手段】
【０００９】
以上のような状況に鑑み、本発明者は鋭意研究の結果、本発明棺収納容器を完成したものであって、その特徴とするところは、棺を収納する容器であって、前面、背面、底面、両側面からなる直方体形の箱体と、蓋体から構成される密閉容器であり、その前面、両側面及び蓋体は透明のプラスチックで構成され、背面と底面は金属で構成されるものにおいて、該背面と底面の内側面には複数のローラーが設けられ、該背面は、開放可能に構成されている点にある。
【００１０】
ここでいう密閉容器は、前面、背面、底面、左右側面からなる直方体型の容器に蓋をした形状である。形状的には、蓋体以外は平面状であるが、蓋体は、平面状でも、四角錐台の形状でもよい。四角錐台の形状とは、四角錐台の大きい底面以外の表面で形成した形状である。
密閉可能にしているのは、内部を冷却し、腐敗等の菌の増殖を防止するためである。よって、開閉可能部にはパッキンを設けて気密性を向上させてもよい。
【００１１】
この前面、側面、蓋体は透明プラスチック製である。プラスチックは何でもよいが、アクリル系、ポリカーボネート系等でよい。厚みは、特に限定はしないが、強度の関係から５ｍｍ以上、好ましくは８ｍｍ以上である。
透明にしているのは、中に収納する棺が見えるように、また、その中の遺体が見えるようにするためである。
蓋体には、持ち上げて開閉できるように取手を設けてもよい。
【００１２】
背面及び底面は金属製である。これは、ローラーを固定するためである。ここでいうローラーは、回転体であり、その形状は自由である。即ち、回転することによって、摩擦を軽減するものであればよい。最も簡単なのは、ローラーコンベアのような形状である。
このようなローラーを金属板に固定する方法は、限定はしないが、長いローラーを自由回転できるようにその回転軸を固定すればよい。
【００１３】
ここで、この容器は、金属製の背面は開放可能である。即ち、この部分から棺を搬入するのである。開放の方法は、背面を倒して底面と平行にするのがよい。このようにして、背面のローラーと底面のローラーがほぼ同一平面上に並び、そのローラーの上を棺が通過していくのである。ローラーが回転してコロの役割を果たし簡単に搬入できる。
搬入した後、棺を所定位置で止めるため、ストッパーを設けておいてもよい。例えば、一定以上奥に行かないように突起を設けるか、所定位置においてテコで棺を持ち上げ、ローラーと離す等である。
【００１４】
また、側面には、貫通孔を設け冷却装置と連結してもよい。この冷却装置は、原理的には家庭用のクーラーと同様のものである。これによって、容器内を冷却するのである。例えば、容器内を１℃〜６℃程度にするのである。この冷却装置は、片方の側面だけでもよいが、両側面に設けてもよい。
側面に貫通孔を設けて、冷却装置を使用しない場合には、栓をしておいてもよい。その栓は透明でも着色してもよい。また、遺体の家庭の家紋やその他の模様を入れることもできる。透明の栓をして、すだれのようなものでカバーしてもよい。
【００１５】
さらに、内部にチューブ型冷却装置を設けてもよい。これは、チューブ内を冷媒が通過して、容器内を冷却するものである。前記した側面に設けた冷却装置では冷却能力が不足する場合に用いるものである。
【００１６】
また、本発明容器内に、殺菌剤を設けてもよい。例えば、塩素酸を発するもの等である。
【００１７】
本発明容器の大きさとしては、一般的な棺が収納できるものであればよいが、通常は、縦が２００〜２３０ｃｍ、横が７０〜９０ｃｍ、高さが５０〜７０ｃｍ程度である。
【００１８】
本発明収納器を用いても、通常のようにドライアイスを棺の中に挿入しても、また棺の外の本発明容器内に入れても問題はない。
【発明の効果】
【００１９】
本発明には次のような効果がある。
（１）  本発明容器は、密閉性があり、冷却装置があるため、内部での菌の増殖が抑えられるだけでなく、外部への散乱もほとんど防止できる。よって、伝染性の病気で死亡した場合でも安心である。
（２）  本発明容器の前面、蓋体等が透明に構成されているため、棺が見え、且つ、棺の一部が開いている場合には遺体も見ることができる。密閉しても中が見えるため、最後のお別れもできる。
（３）  底面や背面にローラーが設けられているため、重い棺でも簡単に搬入できる。
（４）  背面が開放できるため搬入が容易である。
（５）  冷却装置を用いると、通常使用するドライアイスがなくてもよいか、大きく軽減できる。これは大きな経費節減になる。
【図面の簡単な説明】
【００２０】
【図１】本発明棺収納容器の１例を示す斜視図である。
【図２】図１の底面と背面を示すもので、背面を倒して水平にしたところの平面図である。
【図３】図２の箱の断面図である。
【図４】本発明容器の図１の例の平面図である。
【図５】図４の例に棺１１を入れたところの正面図である。
【図６】本発明の他の例を示すもので、（ａ）は正面図、（ｂ）は平面図である。
【発明を実施するための形態】
【００２１】
以下図面に示す実施例に基づいて、本発明をより詳細に説明する。
【実施例１】
【００２２】
図１は、本発明棺収納容器１の１例を示す斜視図である。透明板で構成されているが内部は省略している。前面２、側面３、蓋体４は透明アクリル板の厚さ８ｍｍのものを用いている。側面３には貫通孔５を設けている。底面と背面は見えていないがステンレス製である。
【００２３】
図２は、図１の底面６と背面７を示すもので、背面を倒して水平にしたところの平面図である。底面６と背面７は、蝶番等で回転可能に固定されている。この底面６と背面７にはローラーが固定されている。ローラーの固定の方法は、自由であるが、この例では、浅い箱８にローラー９が回転可能に設けられ、その箱８を底面６や背面７に固定している。
【００２４】
図３は、その箱８の断面図である。箱８の側面板よりローラー９が高い位置に出ていればよい。
図４は、本発明容器の図１の例の平面図である。この図では、内部のローラー９等も見えている。また、右側面３の外に、冷却装置１０が設けられている。この図では、背面７にもローラーが見えている。
【００２５】
図５は、図４の例に棺１１を入れたところの正面図である。この図では、背面のローラーは省略している。
図６（ａ）は、本発明棺収納容器の他の例を示す正面図である。蓋体が平板ではなく、四角錐台の形状である。平板のものよりも重厚感がある。図６（ｂ）は、その平面図である。蓋体の頂部が狭くなっているのがわかる。
【符号の説明】
【００２６】
１  本発明棺収納容器
２  前面
３  側面
４  蓋体
５  貫通孔
６  底面
７  背面
８  箱
９  ローラー
１０  冷却装置
【図１】
2017136138.tif 000003
【図２】
2017136138.tif 000004
【図３】
2017136138.tif 000005
【図４】
2017136138.tif 000006
【図５】
2017136138.tif 000007
【図６】
2017136138.tif 000008